(57)【特許請求の範囲】
【請求項１】
ユーザ機器（ＵＥ）のための電力制御の方法であって、
第１のネットワークへのワイヤレス接続を確立することと、
第１の所定の間隔の間、前記第１のネットワークから離調することと、
前記第１の所定の間隔の後に前記第１のネットワークに再同調することと、
前記第１のネットワークに再同調した後に第２の所定の間隔の間、電力制御フリーズ状態に入ることと、前記電力制御フリーズ状態に入ることは、前記第２の所定の間隔の間、送信電力を増加させるための電力制御コマンドに応答して、送信電力を増加させることを控えるように、送信電力の増加を無効にすることを備え、
前記第２の所定の間隔中に前記第１のネットワークに複数の送信を送ることと、
を備える、方法。
【請求項２】
前記第１のネットワークに再同調した後に前記第１のネットワークから少なくとも１つの電力制御コマンドを受信することをさらに備える、請求項１に記載の方法。
【請求項３】
前記少なくとも１つの電力制御コマンドが、送信電力を増加させるためのコマンドを含む、請求項２に記載の方法。
【請求項４】
前記第１のネットワークによって受信されない前記複数の送信の数が第１のしきい値を超えるかどうか、または前記第１のネットワークに再送信される前記複数の送信の数が第２のしきい値を超えるかどうかを決定することと、
前記第１のしきい値を超えると決定されたとき、または前記第２のしきい値を超えると決定されたとき、前記第２の所定の間隔の終わりの前に、前記電力制御フリーズ状態を出ることと
をさらに備える、請求項１に記載の方法。
【請求項５】
前記第２の所定の間隔の終わりの前に前記第１のしきい値と前記第２のしきい値とを超えない場合、前記第２の所定の間隔の終わりに前記送信電力制御フリーズ状態を出ることをさらに備え、ここにおいて、前記送信電力制御フリーズ状態を出ることが、前記送信電力の増加を有効にすることを含む、請求項４に記載の方法。
【請求項６】
前記第１のネットワークに前記複数の送信を前記送ることが、ＨＡＲＱプロセスを備え、
前記第１のネットワークによって受信されない前記複数の送信の数が前記第１のしきい値を超えるかどうか、または前記第１のネットワークに再送信される前記複数の送信の数が前記第２のしきい値を超えるかどうかを前記決定することが、前記第１のネットワークから受信される否定応答（ＮＡＫ）の数を決定することを備える、請求項４に記載の方法。
【請求項７】
ユーザ機器（ＵＥ）のための電力制御の方法であって、
第１のネットワークへのワイヤレス接続を確立することと、
第１の所定の間隔の間、前記第１のネットワークから離調することと、
前記第１の所定の間隔の後に前記第１のネットワークに再同調することと、
前記第１のネットワークに再同調した後に第２の所定の間隔の間、送信電力の増加を無効にすることと、前記送信電力を無効にすることは、前記第２の所定の間隔の間、送信電力を増加させるための電力制御コマンドに応答して、送信電力を増加させることを控えることを備え、
前記第２の所定の間隔中に前記第１のネットワークに複数の送信を送ることと、
を備える、方法。
【請求項８】
前記第１のネットワークによって受信されない前記複数の送信の数が第１のしきい値を超えるかどうか、または前記第１のネットワークに再送信される前記複数の送信の数が第２のしきい値を超えるかどうかを決定することと、
前記第１のしきい値を超えると決定されたとき、または前記第２のしきい値を超えると決定されたとき、前記第２の所定の間隔の終わりの前に、前記送信電力の増加を有効にすることと
をさらに備える、請求項７に記載の方法。
【請求項９】
ユーザ機器（ＵＥ）のための電力制御の方法であって、
第１のネットワークへのワイヤレス接続を確立することと、
第１の所定の間隔の間、前記第１のネットワークから離調することと、
前記第１の所定の間隔の後に前記第１のネットワークに再同調することと、
前記第１のネットワークに再同調した後に前記第１のネットワークから少なくとも１つの電力制御コマンドを受信することと、
前記第１のネットワークに再同調した後に第２の所定の間隔の間、送信電力を増加させるための前記少なくとも１つの電力制御コマンドに応答して、前記送信電力を増加させることを控えることと、
前記第２の所定の間隔中に前記第１のネットワークに複数の送信を送ることと、
を備える方法。
【請求項１０】
前記少なくとも１つの電力制御コマンドが、送信電力を減少させるためのコマンドを含む、請求項９に記載の方法。
【請求項１１】
前記第２の所定の間隔中に前記送信電力を減少させることをさらに備える、請求項１０に記載の方法。
【請求項１２】
前記第１のネットワークによって受信されない前記複数の送信の数が第１のしきい値を超えるかどうか、または前記第１のネットワークに再送信される前記複数の送信の数が第２のしきい値を超えるかどうかを決定することと、
前記第１のしきい値を超えると決定されたとき、または前記第２のしきい値を超えると決定されたとき、前記第２の所定の間隔の終わりの前に、前記送信電力の増加を有効にすることと
をさらに備える、請求項９に記載の方法。
【請求項１３】
ワイヤレス通信のための装置であって、
第１のネットワークへのワイヤレス接続を確立するための手段と、
第１の所定の間隔の間、前記第１のネットワークから離調するための手段と、
前記第１の所定の間隔の後に前記第１のネットワークに再同調するための手段と、
前記第１のネットワークに再同調した後に第２の所定の間隔の間、電力制御フリーズ状態に入るための手段と、前記電力制御フリーズ状態に入るための手段は、前記第２の所定の間隔の間、送信電力を増加させるための電力制御コマンドに応答して、送信電力を増加させることを控えるように、送信電力の増加を無効にすることを備え、送信電力の増加を無効にするための手段を備え、
前記第２の所定の間隔中に前記第１のネットワークに複数の送信を送るための手段と、
を備える、装置。
【請求項１４】
前記第１のネットワークに再同調した後に前記第１のネットワークから少なくとも１つの電力制御コマンドを受信するための手段をさらに備える、請求項１３に記載の装置。
【請求項１５】
前記少なくとも１つの電力制御コマンドが、前記送信電力を増加させるためのコマンドを含む、請求項１４に記載の装置。
【請求項１６】
前記少なくとも１つの電力制御コマンドが、前記送信電力を減少させるためのコマンドを含む、請求項１４に記載の装置。
【請求項１７】
前記第１のネットワークによって受信されない前記複数の送信の数が第１のしきい値を超えるかどうか、または前記第１のネットワークに再送信される前記複数の送信の数が第２のしきい値を超えるかどうかを決定するための手段と、
前記第１のしきい値を超えると決定されたとき、または前記第２のしきい値を超えると決定されたとき、前記第２の所定の間隔の終わりの前に、前記電力制御フリーズ状態を出るための手段と、
前記第２の所定の間隔の終わりの前に前記第１のしきい値と前記第２のしきい値とを超えない場合、前記第２の所定の間隔の終わりに前記送信電力制御フリーズ状態を出るための手段と、
をさらに備え、ここにおいて、前記送信電力制御フリーズ状態を出るための前記手段が、前記送信電力の増加を有効にするための手段を備える、請求項１３に記載の装置。
【請求項１８】
前記第１のネットワークによって受信されない前記複数の送信の数が第１のしきい値を超えるかどうか、または前記第１のネットワークに再送信される前記複数の送信の数が第２のしきい値を超えるかどうかを決定するための手段と、
前記第１のしきい値を超えると決定されたとき、または前記第２のしきい値を超えると決定されたとき、前記第２の所定の間隔の終わりの前に、前記電力制御フリーズ状態を出るための手段と、
をさらに備え、
前記第１のネットワークに前記複数の送信を送るための前記手段が、ＨＡＲＱプロセスのための手段を備え、
前記第１のネットワークによって受信されない前記複数の送信の数が前記第１のしきい値を超えるかどうか、または前記第１のネットワークに再送信される前記複数の送信の数が前記第２のしきい値を超えるかどうかを決定するための手段が、前記第１のネットワークから受信される否定応答（ＮＡＫ）の数を決定するための手段を備える、請求項１３に記載の装置。
【請求項１９】
ワイヤレス通信のための装置であって、
メモリと、
前記メモリに結合された少なくとも１つのプロセッサと
を備え、前記少なくとも１つのプロセッサは、
第１のネットワークへのワイヤレス接続を確立することと、
第１の所定の間隔の間、前記第１のネットワークから離調することと、
前記第１の所定の間隔の後に前記第１のネットワークに再同調することと、
前記第１のネットワークに再同調した後に第２の所定の間隔の間、電力制御フリーズ状態に入ることと、前記電力制御フリーズ状態に入ることは、前記第２の所定の間隔の間、送信電力を増加させるための電力制御コマンドに応答して、送信電力を増加させることを控えるように、送信電力の増加を無効にすることを備え、
前記第２の所定の間隔中に前記第１のネットワークに複数の送信を送ることと、
を行うように構成された、装置。
【請求項２０】
前記少なくとも１つのプロセッサが、前記第１のネットワークに再同調した後に前記第１のネットワークから少なくとも１つの電力制御コマンドを受信するようにさらに構成され、ここにおいて、前記少なくとも１つの電力制御コマンドが、送信電力を増加させるためのコマンドを含む、請求項１９に記載の装置。
【請求項２１】
前記少なくとも１つのプロセッサは、
前記第１のネットワークによって受信されない前記複数の送信の数が第１のしきい値を超えるかどうか、または前記第１のネットワークに再送信される前記複数の送信の数が第２のしきい値を超えるかどうかを決定することと、
前記第１のしきい値を超えると決定されたとき、または前記第２のしきい値を超えると決定されたとき、前記第２の所定の間隔の終わりの前に、前記電力制御フリーズ状態を出ることと、
前記第２の所定の間隔の終わりの前に前記第１のしきい値と前記第２のしきい値とを超えない場合、前記第２の所定の間隔の終わりに前記送信電力制御フリーズ状態を出ることと、
を行うようにさらに構成され、ここにおいて、前記少なくとも１つのプロセッサが、前記送信電力の増加を有効にすることによって前記送信電力制御フリーズ状態を出るように構成された、請求項１９に記載の装置。
【請求項２２】
前記少なくとも１つのプロセッサは、
前記第１のネットワークによって受信されない前記複数の送信の数が第１のしきい値を超えるかどうか、または前記第１のネットワークに再送信される前記複数の送信の数が第２のしきい値を超えるかどうかを決定することと、
前記第１のしきい値を超えると決定されたとき、または前記第２のしきい値を超えると決定されたとき、前記第２の所定の間隔の終わりの前に、前記電力制御フリーズ状態を出ることと、
ＨＡＲＱプロセスを使用して前記第１のネットワークに前記複数の送信を送ることと、
前記第１のネットワークから受信される否定応答（ＮＡＫ）の数を決定することによって、前記第１のネットワークによって受信されない前記複数の送信の数が前記第１のしきい値を超えるかどうか、または前記第１のネットワークに再送信される前記複数の送信の数が前記第２のしきい値を超えるかどうかを決定することと
を行うように構成された、請求項１９に記載の装置。
【請求項２３】
ワイヤレス通信のための実行可能コードを記憶する非一時的なコンピュータ可読媒体であって、前記コードは、コンピュータに、
第１のネットワークへのワイヤレス接続を確立することと、
第１の所定の間隔の間、前記第１のネットワークから離調することと、
前記第１の所定の間隔の後に前記第１のネットワークに再同調することと、
前記第１のネットワークに再同調した後に第２の所定の間隔の間、電力制御フリーズ状態に入ることと、前記電力制御フリーズ状態に入ることは、前記第２の所定の間隔の間、送信電力を増加させるための電力制御コマンドに応答して、送信電力を増加させることを控えるように、送信電力の増加を無効にすることを備え、
前記第２の所定の間隔中に前記第１のネットワークに複数の送信を送ることと、
を行わせる、コンピュータ可読媒体。
【請求項２４】
前記コンピュータに、前記第１のネットワークに再同調した後に前記第１のネットワークから少なくとも１つの電力制御コマンドを受信することを行わせるためのコードをさらに記憶し、ここにおいて、前記少なくとも１つの電力制御コマンドが、送信電力を増加させるためのコマンドを含む、請求項２３に記載のコンピュータ可読媒体。
【請求項２５】
前記コンピュータに、
前記第１のネットワークによって受信されない前記複数の送信の数が第１のしきい値を超えるかどうか、または前記第１のネットワークに再送信される前記複数の送信の数が第２のしきい値を超えるかどうかを決定することと、
前記第１のしきい値を超えると決定されたとき、または前記第２のしきい値を超えると決定されたとき、前記第２の所定の間隔の終わりの前に、前記電力制御フリーズ状態を出ることと、
前記第２の所定の間隔の終わりの前に前記第１のしきい値と前記第２のしきい値とを超えない場合、前記第２の所定の間隔の前記終わりに前記送信電力制御フリーズ状態を出ることと、
を行わせるコードをさらに記憶し、ここにおいて、前記送信電力制御フリーズ状態を出ることが、前記送信電力の増加を有効にすることを備える、請求項２３に記載のコンピュータ可読媒体。
【請求項２６】
前記コンピュータに、
前記第１のネットワークによって受信されない前記複数の送信の数が第１のしきい値を超えるかどうか、または前記第１のネットワークに再送信される前記複数の送信の数が第２のしきい値を超えるかどうかを決定することと、
前記第１のしきい値を超えると決定されたとき、または前記第２のしきい値を超えると決定されたとき、前記第２の所定の間隔の終わりの前に、前記電力制御フリーズ状態を出ることと、
前記第１のネットワークに前記複数の送信を送るための前記コードが、ＨＡＲＱプロセスを使用して前記複数の送信を送ることと、
を行わせるコードをさらに記憶し、
前記第１のネットワークによって受信されない前記複数の送信の数が前記第１のしきい値を超えるかどうか、または前記第１のネットワークに再送信される前記複数の送信の数が前記第２のしきい値を超えるかどうかを決定することが、前記第１のネットワークから受信されるＮＡＫの数を決定することをさらに備える、請求項２３に記載のコンピュータ可読媒体。
【発明の詳細な説明】
【技術分野】
【０００１】
関連出願の相互参照
[0001]本出願は、その全体が参照により本明細書に明確に組み込まれる、２０１４年７月３１日に出願された「ＰＯＷＥＲ  ＣＯＮＴＲＯＬ  ＰＥＲＦＯＲＭＡＮＣＥ  ＦＯＲ  ＵＳＥＲ  ＥＱＵＩＰＭＥＮＴ」と題する米国仮出願第６２／０３１，１６０号、および２０１５年７月３０日に出願された「ＰＯＷＥＲ  ＣＯＮＴＲＯＬ  ＰＥＲＦＯＲＭＡＮＣＥ  ＦＯＲ  ＵＳＥＲ  ＥＱＵＩＰＭＥＮＴ」と題する米国特許出願第１４／８１４，３２１号の利益を主張する。
【０００２】
[0002]本開示は、一般に通信システムに関し、より詳細には、限定はしないが、単一の無線ハイブリッド離調デバイスのための電力制御の実施を最適化することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。ＬＴＥは、スペクトル効率を改善すること、コストを下げること、サービスを改善すること、新しいスペクトルを利用すること、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]ワイヤレス通信のための方法、装置、およびコンピュータプログラム製品が提供される。第１のネットワークへのワイヤレス接続を確立することと、第１の所定の間隔の間、第１のネットワークから離調することと、第１の所定の間隔の後に第１のネットワークに再同調することと、第１のネットワークに再同調した後に第２の所定の間隔の間、電力制御フリーズ状態に入ることと、第２の所定の間隔中に第１のネットワークに複数の送信を送ることと、第１のネットワークによって受信されない複数の送信の数が第１のしきい値を超えるかどうか、または第１のネットワークに再送信される複数の送信の数が第２のしきい値を超えるかどうかを決定することと、第１のしきい値を超えると決定されたとき、または第２のしきい値を超えると決定されたとき、電力制御フリーズ状態を出ることとを行うように構成された装置。
【図面の簡単な説明】
【０００６】
【図１】[0006]ネットワークアーキテクチャの一例を示す図。
【図２】[0007]アクセスネットワークの一例を示す図。
【図３】[0008]ＬＴＥにおけるＤＬフレーム構造の一例を示す図。
【図４】[0009]ＬＴＥにおけるＵＬフレーム構造の一例を示す図。
【図５】[0010]ユーザプレーンおよび制御プレーンのための無線プロトコルアーキテクチャの一例を示す図。
【図６】[0011]アクセスネットワーク中の発展型ノードＢおよびユーザ機器の一例を示す図。
【図７】[0012]異種ネットワーク中の範囲拡大セルラー領域を示す図。
【図８】[0013]ワイヤレス通信の方法のフローチャート。
【図９】[0014]例示的な装置中の様々なモジュール／手段／構成要素間のデータフローを示す概念データフロー図。
【図１０】[0015]処理システムを採用する装置９０２’のためのハードウェア実装の一例を示す図。
【発明を実施するための形態】
【０００７】
[0016]添付の図面に関して以下に記載する詳細な説明は、様々な構成を説明するものであり、本明細書で説明する概念が実施され得る唯一の構成を表すものではない。詳細な説明は、様々な概念の完全な理解を提供する目的で具体的な詳細を含む。しかしながら、これらの概念は、これらの具体的な詳細なしに実施され得ることが当業者には明らかであろう。いくつかの例では、そのような概念を不明瞭にしないように、よく知られている構造および構成要素はブロック図の形態で示される。
【０００８】
[0017]次に、様々な装置および方法に関して電気通信システムのいくつかの態様が提示される。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、またはソフトウェアとして実装されるかは、特定の適用例および全体的なシステムに課された設計制約に依存する。
【０００９】
[0018]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ、（ＤＳＰ）、フィールドプログラマブルゲートアレイ（ＦＰＧＡ）、プログラマブル論理デバイス（ＰＬＤ）、状態機械（state machines）、ゲート論理、ディスクリート（discrete）ハードウェア回路、および本開示全体にわたって説明する様々な機能を実施するように構成された他の適切なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されたい。
【００１０】
[0019]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の入手可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、ＣＤ、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１１】
[0020]図１は、ＬＴＥネットワークアーキテクチャ１００を示す図である。ＬＴＥネットワークアーキテクチャ１００は発展型パケットシステム（ＥＰＳ）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ）１０４と、発展型パケットコア（ＥＰＣ）１１０と、ホーム加入者サーバ（ＨＳＳ）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００１２】
[0021]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、ノードＢ、アクセスポイント、トランシーバ基地局、無線基地局、無線トランシーバ、トランシーバ機能、基本サービスセット（ＢＳＳ）、拡張サービスセット（ＥＳＳ）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲームコンソール、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0022]ｅＮＢ１０６はＥＰＣ１１０に接続される。ＥＰＣ１１０は、モビリティ管理エンティティ（ＭＭＥ）１１２と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ）１２６と、パケットデータネットワーク（ＰＤＮ）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を提供する。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ）と、ＰＳストリーミングサービス（ＰＳＳ）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１４】
[0023]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるために構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係の機能を担当する。ｅＮＢは、１つまたは複数の（たとえば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用されることがある。
【００１５】
[0024]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ）、ＴＤＭＡを採用するモバイル通信用グローバルシステム（ＧＳＭ（登録商標））、ならびに、ＯＦＤＭＡを採用する発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課された全体的な設計制約に依存することになる。
【００１６】
[0025]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１７】
[0026]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通じた送信のために、データを空間的にプリコーディングすることによって達成され得る。セルのエッジにおいて良好なカバレージを実現するために、送信ダイバーシティと組み合わせてシングルストリームビームフォーミング送信が使用され得る。
【００１８】
[0027]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアにわたってデータを変調するスペクトル拡散技法である。サブキャリアは正確な周波数で離間される。離間は、受信機がサブキャリアからデータを復元することを可能にする「直交性」を実現する。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００１９】
[0028]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７つの連続するＯＦＤＭシンボル、または８４個のリソース要素を含んでいる。拡張サイクリックプレフィックスについて、リソースブロックは、時間領域中に６つの連続するＯＦＤＭシンボルを含んでおり、７２個のリソース要素を有する。Ｒ３０２、３０４として示されるリソース要素のいくつかはＤＬ基準信号（ＤＬ−ＲＳ）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ）がその上にマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0029]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２１】
[0030]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００２２】
[0031]初期システムアクセスを実施し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。ＰＲＡＣＨに関して、周波数ホッピングはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みのみを行うことができる。
【００２３】
[0032]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３という、３つのレイヤとともに示されている。レイヤ１（Ｌ１レイヤ）は最下位レイヤであり、様々な物理レイヤ信号処理機能を実装する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００２４】
[0033]ユーザプレーンでは、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、遠端ＵＥ、サーバなど）において終端されるアプリケーションレイヤとを含めて、Ｌ２レイヤ５０８の上にいくつかの上位レイヤを有し得る。
【００２５】
[0034]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥのためのｅＮＢ間のハンドオーバサポートとをもたらす。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補償するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまた、ＨＡＲＱ演算を担当する。
【００２６】
[0035]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２７】
[0036]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ演算と、紛失パケットの再送信と、ＵＥ６５０へのシグナリングとを担当する。
【００２８】
[0037]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ）と、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づく信号コンスタレーション（constellations）へのマッピングとを容易にするための、コーディングとインターリービングとを含む。コーディングおよび変調されたシンボルは、次いで、並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００２９】
[0038]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた空間ストリームを復元するために、情報に対して空間処理を実施し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号の各サブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟決定は、チャネル推定器６５８によって計算されるチャネル推定値に基づき得る。軟決定は、次いで、物理チャネル上でｅＮＢ６１０によって最初に送信されたデータと制御信号とを復元するために復号され、デインターリーブされる。データと制御信号とは、次いでコントローラ／プロセッサ６５９に与えられる。
【００３０】
[0039]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上のすべてのプロトコルレイヤを表す、データシンク６６２に与えられる。また、様々な制御信号が、Ｌ３処理のためにデータシンク６６２に与えられ得る。コントローラ／プロセッサ６５９はまた、ＨＡＲＱ演算をサポートするために肯定応答（ＡＣＫ）および／または否定応答（ＮＡＣＫ）プロトコルを使用する誤り検出を担当する。
【００３１】
[0040]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ演算と、紛失パケットの再送信と、ｅＮＢ６１０へのシグナリングとを担当する。
【００３２】
[0041]ｅＮＢ６１０によって送信される基準信号またはフィードバックからの、チャネル推定器６５８によって導出されるチャネル推定値は、適切なコーディングおよび変調方式を選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３３】
[0042]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００３４】
[0043]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ演算をサポートするためにＡＣＫおよび／またはＮＡＣＫプロトコルを使用する誤り検出を担当する。
【００３５】
[0044]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実施される干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、ＵＥ７２０が範囲拡大セルラー領域７０３に入るとき、範囲拡大セルラー領域７０３中のＵＥ７２０をサービスし、マクロｅＮＢ７１０ａからのＵＥ７２０のハンドオフを受け入れることが可能になる。
【００３６】
[0045]ＬＴＥネットワークに接続されたユーザ機器（ＵＥ）は、着信ページおよび／またはオーバーヘッドメッセージ更新について他のレガシー音声サービス技術を周期的に監視するために、別のネットワークへと離調することを周期的に希望し得る。さらに、ＵＥは、より良い接続が利用可能であるかどうかを確かめるために別のネットワークへと離調することを希望し得る。
【００３７】
[0046]たとえば、ＬＴＥの単一の無線ハイブリッド離調ユーザ機器（ＵＥ）は、１ｘＲＴＴ、ＧＳＭ、ＴＤ−ＳＣＤＭＡ、または他の３Ｇ技術などの他のネットワークからページが受信されたかどうかを決定するために、ＬＴＥネットワークからそれらの他のネットワークへと離調することができる。ＬＴＥアップリンク（ＵＬ）チャネルＰＵＣＣＨ、ＰＵＳＣＨ、およびＳＲＳは、ＬＴＥ  ｅノードＢからＵＥによって受信されるＰＤＣＣＨダウンリンク（ＤＬ）およびＵＬ許可から受信される開ループ制御手順および閉ループ制御ビットの両方の組合せによって電力制御され得る。ＬＴＥは、累積的電力制御手順と絶対的電力制御手順の両方をサポートすることができる。ＵＥ固有ＰＵＳＣＨチャネル電力制御ビットが、ＰＤＣＣＨ  ＤＣＩ  ０アップリンク許可からＵＥによって受信され得る。ＬＴＥ  ＵＬデータ転送中に、ＵＥが第２のネットワークに離調されたとき、ＵＥは、すべてのＰＤＣＣＨ  ＤＣＩ  ０許可および関連するＰＵＳＣＨ電力制御ビットを逃し得る。ＵＥはターンアウェイ期間中にすべてのＰＤＣＣＨ  ＤＣＩ  ０許可を逃したので、いくつかのＬＴＥ  ｅノードＢは、増やされた累積的電力制御ビットをもつＵＬ  ＰＵＳＣＨ許可を送り続け得る。ＵＥがＬＴＥネットワークに再同調し、ＰＤＣＣＨ  ＤＣＩ  ０許可を受信すると、ＵＥは、離調期間より前に使用された送信（Ｔｘ）電力よりも高いＴｘ電力でＰＵＳＣＨデータを送信し始める。ＬＴＥネットワークに再同調した後の高いＵＥ  Ｔｘ電力により、ＵＥは、電力消費量、ＵＬブロックエラーレート（ＢＬＥＲ）の増加と、ＵＥによって報告されるより低い電力ヘッドルーム（ＰＨＲ）値とを経験することがあり、このＵＥにより、ｅノードＢスケジューラは、ＵＬリソースブロック（ＲＢ）、変調およびコーディング方式（ＭＣＳ）、および／またはＴＢサイズを介してＵＬデータレートスケジューリングを低減させ得る。さらに、高いＵＥ  Ｔｘ電力は、セル間ＵＬ干渉の増加を引き起こし、全体的なＬＴＥシステムＵＬ性能に影響を及ぼし得る。
【００３８】
[0047]図８は、様々な態様によるワイヤレス通信の方法のフローチャート８００を示す。本方法は、ＵＥ１０２など、ＵＥによって実施され得る。
【００３９】
[0048]ステップ８０２において、ＵＥは、第１のネットワークへの接続を確立する。たとえば、第１のネットワークは、ＬＴＥネットワーク、１ｘＲＴＴネットワーク、ＴＤ−ＳＣＤＭＡネットワーク、ＵＴＲＡネットワーク、ＴＤＭＡを採用したＧＳＭネットワークモバイル通信用グローバルシステム（ＧＳＭ）、Ｅ−ＵＴＲＡネットワーク、ＩＥＥＥ８０２．１１（Ｗｉ−Ｆｉ）ネットワーク、ＩＥＥＥ８０２．１６（ＷｉＭＡＸ）ネットワーク、ＩＥＥＥ８０２．２０ネットワーク、またはＦｌａｓｈ−ＯＦＤＭネットワークであり得る。
【００４０】
[0049]ステップ８０４において、ＵＥは、第２のネットワークによってページが受信されたかどうかを決定するために所定の時間期間においてＵＥが第１のネットワークから離調するように、離調プロトコルを有効にする。たとえば、第２のネットワークは、ＬＴＥネットワーク、１ｘＲＴＴネットワーク、ＴＤ−ＳＣＤＭＡネットワーク、ＵＴＲＡネットワーク、ＴＤＭＡを採用したＧＳＭネットワークモバイル通信用グローバルシステム（ＧＳＭ）、Ｅ−ＵＴＲＡネットワーク、ＩＥＥＥ８０２．１１（Ｗｉ−Ｆｉ）ネットワーク、およびＩＥＥＥ８０２．１６（ＷｉＭＡＸ）ネットワーク、ＩＥＥＥ８０２．２０ネットワーク、またはＦｌａｓｈ−ＯＦＤＭネットワークを含むことができる。
【００４１】
[0050]ステップ８０６において、ＵＥは、所定の時間期間の後に第１のネットワークに再同調する。たとえば、ＵＥは、所定の時間期間の後に、ＬＴＥネットワーク、１ｘＲＴＴネットワーク、ＴＤ−ＳＣＤＭＡネットワーク、ＵＴＲＡネットワーク、ＴＤＭＡを採用したＧＳＭネットワークモバイル通信用グローバルシステム（ＧＳＭ）、Ｅ−ＵＴＲＡネットワーク、ＩＥＥＥ８０２．１１（Ｗｉ−Ｆｉ）ネットワーク、およびＩＥＥＥ８０２．１６（ＷｉＭＡＸ）ネットワーク、ＩＥＥＥ８０２．２０ネットワーク、またはＦｌａｓｈ−ＯＦＤＭネットワークに再同調することができる。
【００４２】
[0051]ステップ８０８において、ＵＥは、所定の時間期間の間、電力制御フリーズ状態を有効にする。たとえば、ＵＥは、第１のネットワークに再同調した後に所定のフリーズ期間の間、第１のネットワークから受信される送信電力制御（ＴＰＣ）パワーアップコマンドのＰＵＳＣＨ閉ループ電力制御動作をフリーズさせることができる。
【００４３】
[0052]ステップ８１０において、ＵＥは、所定の時間期間が０であるように構成されたかどうかを決定することができる。ステップ８１０における肯定的結果に基づいて、ステップ８１２において、ＵＥは電力制御フリーズ状態に入らなくてよい。たとえば、ＵＥは、第１のネットワークに再同調した後に、ＴＰＣパワーアップコマンドのＰＵＳＣＨ閉ループ電力制御動作をフリーズさせない。ステップ８１０における否定的結果に基づいて、ステップ８１４において、ＵＥは、所定のフリーズ期間の間、電力制御フリーズ状態に入る。たとえば、ＵＥが第１のネットワークに再同調したときに第１のネットワークから受信されるＵＬ  ＰＵＳＣＨ許可／コマンドにかかわらず、第１のネットワークに再同調した後に５０ｍｓの間、ＵＥがより高いＴｘ電力で送信することのないように、デフォルトの所定のフリーズ期間が５０ｍｓに設定され得る。
【００４４】
[0053]ステップ８１６において、ＵＥは、電力制御フリーズ状態にある間、第１のネットワークに複数の送信を送る。たとえば、ＵＥは、ＨＡＲＱプロセスを使用して第１のネットワークに複数のＵＬ送信を送ることができる。
【００４５】
[0054]ステップ８１８において、ＵＥは、第１のネットワークによって受信されない複数の送信の数がしきい値を超えるかどうか、または第１のネットワークに再送信される複数の送信の数が第２のしきい値を超えるかどうかを決定する。一態様では、ＵＥは、電力制御フリーズ状態中に第１のネットワークから受信される否定応答（ＮＡＫ）の数が所定の数（たとえば、第１のしきい値）を超えるかどうかを決定することができる。たとえば、第１のしきい値はＭａｘ（２，（ｍａｘＨＡＲＱ＿Ｔｘ−２））に等しくなり得る。この例では、後続の電力制御フリーズ状態まで、ＵＥが電力制御フリーズ状態を出る前に３つの送信が受信されることが不要であり得る。式中の値「２」は、ＵＥソフトウェア構成パラメータに基づいて構成され得る。ＵＥはまた、再送信の数（ｍａｘＨＡＲＱ−Ｔｘ）が第２のしきい値を超えるかどうかを決定することができる。ステップ８１８ザットにおいて、受信されない送信の数が第１のしきい値を超えると、および／または再送信の数が第２のしきい値を超えると決定された場合、ステップ８２０において、ＵＥは、後続の電力制御フリーズ状態まで、所定の時間期間の終了より前に電力フリーズ状態を出ることができる。
【００４６】
[0055]ステップ８１８における否定的結果に基づいて（たとえば、ＵＥは、ステップ８１８において、第１のネットワークから受信されるＮＡＫの数が第１のしきい値を超えないと、および再送信の数が第２のしきい値を超えないと決定する）、ステップ８２０において、ＵＥは、所定の時間期間の終了まで電力制御フリーズ状態のままでいることができる。
【００４７】
[0056]図９は、基地局９５０と通信することができる例示的な装置９０２中の異なるモジュール／手段／構成要素間のデータフローを示す概念データフロー図９００である。装置９０２は、たとえば、ＵＥであり得る。一態様では、基地局９５０は第１のネットワークおよび／または第２のネットワークの一部であり得る。装置９０２は、第１および／または第２のネットワークからページまたはデータを受信する受信モジュール９０４と、第１のネットワークから離調する離調モジュール９０６と、第１のネットワークに再同調する再同調モジュール９０８と、電力制御フリーズ状態に入りそれから出る電力制御フリーズモジュール９１０と、決定モジュール９１２と、データを送信する送信モジュール９１４とを含むことができる。
【００４８】
[0057]受信モジュール９０４は、第１のネットワークおよび／または第２のネットワークへの接続を確立する。たとえば、第１のネットワークおよび／または第２のネットワークは、ＬＴＥネットワーク、１ｘＲＴＴネットワーク、ＴＤ−ＳＣＤＭＡネットワーク、ＵＴＲＡネットワーク、ＴＤＭＡを採用したＧＳＭネットワークモバイル通信用グローバルシステム（ＧＳＭ）、Ｅ−ＵＴＲＡネットワーク、ＩＥＥＥ８０２．１１（Ｗｉ−Ｆｉ）ネットワーク、およびＩＥＥＥ８０２．１６（ＷｉＭＡＸ）ネットワーク、ＩＥＥＥ８０２．２０ネットワーク、またはＦｌａｓｈ−ＯＦＤＭネットワークであり得る。受信モジュール９０４は、第１および／または第２のネットワークからページまたはデータを受信することができる。たとえば、受信モジュール９０４は基地局９５０からページまたはデータを受信することができる。
【００４９】
[0058]離調モジュール９０６は、第２のネットワークによってページが受信されたかどうかを決定するために所定の時間期間においてＵＥ９０２が第１のネットワークから離調するように、離調プロトコルを有効にする。たとえば、第２のネットワークは、ＬＴＥネットワーク、１ｘＲＴＴネットワーク、ＴＤ−ＳＣＤＭＡネットワーク、ＵＴＲＡネットワーク、ＴＤＭＡを採用したＧＳＭネットワークモバイル通信用グローバルシステム（ＧＳＭ）、Ｅ−ＵＴＲＡネットワーク、ＩＥＥＥ８０２．１１（Ｗｉ−Ｆｉ）ネットワーク、およびＩＥＥＥ８０２．１６（ＷｉＭＡＸ）ネットワーク、ＩＥＥＥ８０２．２０ネットワーク、またはＦｌａｓｈ−ＯＦＤＭネットワークを含むことができる。受信モジュール９０４は、第１および／または第２のネットワークからページまたはデータを受信することができる。たとえば、受信モジュール９０４は基地局９５０からページまたはデータを受信することができる。
【００５０】
[0059]再同調モジュール９０８は、所定の時間期間の後に第１のネットワークに再同調する。たとえば、ＵＥ９０２は、所定の時間期間の後に、ＬＴＥネットワーク、１ｘＲＴＴネットワーク、ＴＤ−ＳＣＤＭＡネットワーク、ＵＴＲＡネットワーク、ＴＤＭＡを採用したＧＳＭネットワークモバイル通信用グローバルシステム（ＧＳＭ）、Ｅ−ＵＴＲＡネットワーク、ＩＥＥＥ８０２．１１（Ｗｉ−Ｆｉ）ネットワーク、およびＩＥＥＥ８０２．１６（ＷｉＭＡＸ）ネットワーク、ＩＥＥＥ８０２．２０ネットワーク、またはＦｌａｓｈ−ＯＦＤＭネットワークに再同調することができる。
【００５１】
[0060]電力制御フリーズモジュール９１０は、所定の時間期間の間、電力制御フリーズ状態を有効にする。たとえば、電力制御フリーズモジュール９１２は、再同調モジュール９０８が第１のネットワークに再同調した後に所定のフリーズ期間の間、第１のネットワークから受信モジュール９０４によって受信される送信電力制御（ＴＰＣ）パワーアップコマンドのＰＵＳＣＨ閉ループ電力制御動作をフリーズさせることができる。
【００５２】
[0061]決定モジュール９１２は、所定の時間期間が０であるように構成されたかどうかを決定することができる。肯定的結果に基づいて、決定モジュール９１０は、電力制御フリーズ状態に入らないように電力制御フリーズモジュール９１０に命令する信号を送ることができる。たとえば、所定の時間期間が０に設定された場合、電力制御フリーズモジュール９１０は、第１のネットワークに再同調した後に、ＴＰＣパワーアップコマンドのＰＵＳＣＨ閉ループ電力制御動作をフリーズさせない。否定的結果に基づいて、決定モジュール９１２は、所定のフリーズ期間の間、電力制御フリーズ状態に入るように電力制御フリーズモジュール９１０に命令する信号を送ることができる。たとえば、再同調モジュール９０８が第１のネットワークに再同調したときに第１のネットワークから受信モジュール９０４によって受信されるＵＬ  ＰＵＳＣＨ許可／コマンドにかかわらず、第１のネットワークに再同調した後に５０ｍｓの間、ＵＥ９０２がより高いＴｘ電力で送信することのないように、デフォルトの所定のフリーズ期間が５０ｍｓに設定され得る。
【００５３】
[0062]送信モジュール９１４は、ＵＥ９０２が電力制御フリーズ状態である間、第１のネットワークに複数の送信を送ることができる。たとえば、送信モジュール９１４は、所定のフリーズ期間中にＨＡＲＱプロセスを使用して第１のネットワークに複数のＵＬ送信を送ることができる。
【００５４】
[0063]決定モジュール９１２は、第１のネットワークによってバイ受信されない（たとえば、所定のフリーズ期間中に送信モジュール９１４によって送信された）複数の送信の数がしきい値を超えるかどうか、または第１のネットワークに再送信される複数の送信の数が第２のしきい値を超えるかどうかを決定することができる。一態様では、決定モジュール９１２は、電力制御フリーズ状態中に第１のネットワークから受信モジュール９０４によって受信される否定応答（ＮＡＫ）の数が所定の数を超えるかどうかを決定することができる。たとえば、第１のしきい値はＭａｘ（２，（ｍａｘＨＡＲＱ＿Ｔｘ−２））に等しくなり得る。この例では、後続の電力制御フリーズ状態まで、電力制御フリーズ状態を出るように電力制御フリーズモジュール９１０に命令する信号を決定モジュール９１２が送る前に３つの送信が受信されることが不要であり得る。式中の値「２」は、ＵＥソフトウェア構成パラメータに基づいて構成され得る。決定モジュール９１２はまた、再送信の数（ｍａｘＨＡＲＱ−Ｔｘ）が第２のしきい値を超えるかどうかを決定することができる。再送信の数がしきい値を超えると決定モジュール９１２が決定した場合、決定モジュール９１２は、後続の電力制御フリーズ状態まで、所定の時間期間の終了より前に電力フリーズ状態を出るように電力制御フリーズモジュール９１０に命令する信号を送ることができる。
【００５５】
[0064]しかしながら、所定のフリーズ期間中に第１のネットワークから受信されるＮＡＫの数が第１のしきい値を超えないと、および所定のフリーズ期間中の送信モジュール９１２による再送信の数が第２のしきい値を超えないと決定モジュール９１２が決定した場合、電力制御フリーズモジュール９１０は、所定の時間期間の終了まで電力制御フリーズ状態のままでいることができる。
【００５６】
[0065]本装置は、図８の上述のフローチャート中のアルゴリズムのステップの各々を実施する追加のモジュールを含み得る。したがって、図８の上述のフローチャート中の各ステップは１つのモジュールによって実施され得、本装置は、それらのモジュールのうちの１つまたは複数を含み得る。モジュールは、述べられたプロセス／アルゴリズムを実行するように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００５７】
[0066]図１０は、処理システム１０１４を採用する装置９０２’のためのハードウェア実装の一例を示す図１０００である。処理システム１０１４は、バス１０２４によって全般的に表されるバスアーキテクチャを用いて実装され得る。バス１０２４は、処理システム１０１４の特定の適用例および全体的な設計制約に応じて、任意の数の相互接続バスおよびブリッジを含み得る。バス１０２４は、プロセッサ１００４によって表される１つまたは複数のプロセッサおよび／またはハードウェアモジュールと、モジュール９０４、９０６、９０８、９１０、９１２、９１４と、コンピュータ可読媒体／メモリ１００６とを含む様々な回路を互いにリンクする。バス１０２４はまた、タイミングソース、周辺機器、電圧調整器、および電力管理回路などの様々な他の回路をリンクし得、これらの回路は当技術分野でよく知られており、したがって、これ以上は説明しない。
【００５８】
[0067]処理システム１０１４はトランシーバ１０１０に結合され得る。トランシーバ１０１０は１つまたは複数のアンテナ１０２０に結合される。トランシーバ１０１０は、送信媒体を介して様々な他の装置と通信するための手段を備える。トランシーバ１０１０は、１つまたは複数のアンテナ１０２０から信号を受信し、受信された信号から情報を抽出し、抽出された情報を処理システム１０１４、特に受信モジュール９０４に与える。さらに、トランシーバ１０１０は、処理システム１０１４、特に送信モジュール９１６から情報を受信し、受信された情報に基づいて、１つまたは複数のアンテナ１０２０に適用されるべき信号を生成する。処理システム１０１４は、コンピュータ可読媒体／メモリ１００６に結合されたプロセッサ１００４を含む。プロセッサ１００４は、コンピュータ可読媒体／メモリ１００６に記憶されたソフトウェアの実行を含む一般的な処理を担当する。ソフトウェアは、プロセッサ１００４によって実行されると、処理システム１０１４に、任意の特定の装置のための上記で説明した様々な機能を実施させる。コンピュータ可読媒体／メモリ１００６はまた、ソフトウェアを実行するときにプロセッサ１００４によって操作されるデータを記憶するために使用され得る。処理システムは、モジュール９０４、９０６、９０８、９１０、９１２、９１４、９１６のうちの少なくとも１つをさらに含む。それらのモジュールは、プロセッサ１００４中で動作するか、コンピュータ可読媒体／メモリ１００６中に存在する／記憶されたソフトウェアモジュールであるか、プロセッサ１００４に結合された１つまたは複数のハードウェアモジュールであるか、またはそれらの何らかの組合せであり得る。処理システム１０１４は、基地局１０５の構成要素であり得、メモリ６７６、および／またはＴＸプロセッサ６１６と、ＲＸプロセッサ６７０と、コントローラ／プロセッサ６７５とのうちの少なくとも１つを含み得る。処理システム１０１４は、代替的にＵＥ１０２の構成要素であり得、メモリ６６０、および／またはＴＸプロセッサ６６８と、ＲＸプロセッサ６５６と、コントローラ／プロセッサ６５９とのうちの少なくとも１つを含み得る。
【００５９】
[0068]一構成では、ワイヤレス通信のための装置９０２／９０２’は、第１のネットワークへのワイヤレス接続を確立するための手段と、第１の所定の間隔の間、第１のネットワークから離調するための手段と、第１の所定の間隔の後に第１のネットワークに再同調するための手段と、第１のネットワークに再同調した後に第２の所定の間隔の間、電力制御フリーズ状態に入るための手段と、ここにおいて、電力制御フリーズ状態に入るための手段が、送信電力の増加を無効にするための手段を備える第２の所定の間隔中に第１のネットワークに複数の送信を送るための手段と、第１のネットワークによって受信されない複数の送信の数が第１のしきい値を超えるかどうか、または第１のネットワークに再送信される複数の送信の数が第２のしきい値を超えるかどうかを決定するための手段と、第１のしきい値を超えると決定されたとき、または第２のしきい値を超えると決定されたとき、電力制御フリーズ状態を出るための手段と、第１のネットワークに再同調した後に第１のネットワークから少なくとも１つの電力制御コマンドを受信するための手段と、ここにおいて、少なくとも１つの電力制御コマンドが、送信電力を増加させるためのコマンドを含む、ここにおいて、電力制御フリーズ状態に入るための手段が、送信電力を増加させるためのコマンドを無視するための手段を備える、ここにおいて、少なくとも１つの電力制御コマンドが、送信電力を減少させるためのコマンドを含む、第２の所定の間隔中に送信電力を減少させるための手段と、第２の所定の間隔の終わりの前に第１のしきい値と第２のしきい値とを超えない場合、第２の所定の間隔の終わりに送信電力制御フリーズ状態を出るための手段と、ここにおいて、送信電力制御フリーズ状態を出るための手段が、送信電力の増加を有効にするための手段を備える、ここにおいて、第１のネットワークに複数の送信を送るための手段が、ＨＡＲＱプロセスのための手段を備える、およびここにおいて、第１のネットワークによって受信されない複数の送信の数が第１のしきい値を超えるかどうか、または第１のネットワークに再送信される複数の送信の数が第２のしきい値を超えるかどうかを決定するための手段が、第１のネットワークから受信される否定応答（ＮＡＫ）の数を決定するための手段を備える、を含む。
【００６０】
[0069]上述の手段は、上述の手段によって具陳される機能を実施するように構成された、装置９０２の上述のモジュールおよび／または装置９０２’の処理システム１０１４のうちの１つまたは複数であり得る。上記で説明したように、処理システム１０１４は、ＴＸプロセッサ６６８と、ＲＸプロセッサ６５６と、コントローラ／プロセッサ６５９とを含み得る。したがって、一構成では、上述の手段は、上述の手段によって具陳される機能を実施するように構成された、ＴＸプロセッサ６１６と、ＲＸプロセッサ６７０と、コントローラ／プロセッサ６７５とであり得る。代替的に、上記で説明したように、処理システム１０１４は、ＴＸプロセッサ６６８と、ＲＸプロセッサ６５６と、コントローラ／プロセッサ６５９とを含み得る。したがって、一構成では、上述の手段は、上述の手段によって具陳される機能を実施するように構成された、ＴＸプロセッサ６６８と、ＲＸプロセッサ６５６と、コントローラ／プロセッサ６５９とであり得る。
【００６１】
[0070]本装置は、図８の上述のフローチャート中のアルゴリズムのステップの各々を実施する追加のモジュールを含み得る。したがって、図８の上述のフローチャート中の各ステップは１つのモジュールによって実施され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００６２】
[0071]開示されるプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００６３】
[0072]以上の説明は、いかなる当業者も本明細書で説明する様々な態様を実施できるようにするために提供される。これらの態様に対する様々な変更は当業者には容易に明らかになり、本明細書で定義した一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように別段に明記されていない限り、「唯一無二の」を意味するものではなく、「１つまたは複数の」を意味するものである。「例示的」という単語は、本明細書では「例、事例、または例示として機能すること」を意味するために使用される。「例示的」として本明細書で説明するいかなる態様も、必ずしも他の態様よりも好適または有利である」と解釈されるべきであるとは限らない。別段に明記されていない限り、「いくつかの」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、任意のそのような組合せは、Ａ、Ｂ、またはＣの１つまたは複数のメンバーを含んでいることがある。当業者に知られているかまたは後で当業者に知られるようになる、本開示全体にわたって説明する様々な態様の要素に対するすべての構造的等価物および機能的等価物は、参照により本明細書に明確に組み込まれ、特許請求の範囲によって包含されるものである。その上、本明細書で開示されたいかなることも、そのような開示が特許請求の範囲に明示的に記載されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）のための電力制御の方法であって、
第１のネットワークへのワイヤレス接続を確立することと、
第１の所定の間隔の間、前記第１のネットワークから離調することと、
前記第１の所定の間隔の後に前記第１のネットワークに再同調することと、
前記第１のネットワークに再同調した後に第２の所定の間隔の間、電力制御フリーズ状態に入ることと、
前記第２の所定の間隔中に前記第１のネットワークに複数の送信を送ることと、
前記第１のネットワークによって受信されない前記複数の送信の数が第１のしきい値を超えるかどうか、または前記第１のネットワークに再送信される前記複数の送信の数が第２のしきい値を超えるかどうかを決定することと、
前記第１のしきい値を超えると決定されたとき、または前記第２のしきい値を超えると決定されたとき、前記電力制御フリーズ状態を出ることとを備える、方法。
［Ｃ２］
前記電力制御フリーズ状態に入ることが、送信電力の増加を無効にすることを備える、Ｃ１に記載の方法。
［Ｃ３］
前記第１のネットワークに再同調した後に前記第１のネットワークから少なくとも１つの電力制御コマンドを受信することをさらに備える、Ｃ１に記載の方法。
［Ｃ４］
前記少なくとも１つの電力制御コマンドが、送信電力を増加させるためのコマンドを含む、Ｃ３に記載の方法。
［Ｃ５］
前記電力制御フリーズ状態に入ることが、前記送信電力を増加させるための前記コマンドを無視することを含む、Ｃ４に記載の方法。
［Ｃ６］
前記少なくとも１つの電力制御コマンドが、送信電力を減少させるためのコマンドを含む、Ｃ３に記載の方法。
［Ｃ７］
前記第２の所定の間隔中に前記送信電力を減少させることをさらに備える、Ｃ６に記載の方法。
［Ｃ８］
前記第２の所定の間隔の終わりの前に前記第１のしきい値と前記第２のしきい値とを超えない場合、前記第２の所定の間隔の終わりに前記送信電力制御フリーズ状態を出ることをさらに備え、ここにおいて、前記送信電力制御フリーズ状態を出ることが、前記送信電力の増加を有効にすることを含む、Ｃ２に記載の方法。
［Ｃ９］
前記第１のネットワークに前記複数の送信を前記送ることが、ＨＡＲＱプロセスを備え、
前記第１のネットワークによって受信されない前記複数の送信の前記数が前記第１のしきい値を超えるかどうか、または前記第１のネットワークに再送信される前記複数の送信の前記数が前記第２のしきい値を超えるかどうかを前記決定することが、前記第１のネットワークから受信される否定応答（ＮＡＫ）の数を決定することを備える、Ｃ１に記載の方法。
［Ｃ１０］
ワイヤレス通信のための装置であって、
第１のネットワークへのワイヤレス接続を確立するための手段と、
第１の所定の間隔の間、前記第１のネットワークから離調するための手段と、
前記第１の所定の間隔の後に前記第１のネットワークに再同調するための手段と、
前記第１のネットワークに再同調した後に第２の所定の間隔の間、電力制御フリーズ状態に入るための手段と、
前記第２の所定の間隔中に前記第１のネットワークに複数の送信を送るための手段と、
前記第１のネットワークによって受信されない前記複数の送信の数が第１のしきい値を超えるかどうか、または前記第１のネットワークに再送信される前記複数の送信の数が第２のしきい値を超えるかどうかを決定するための手段と、
前記第１のしきい値を超えると決定されたとき、または前記第２のしきい値を超えると決定されたとき、前記電力制御フリーズ状態を出るための手段とを備える、装置。
［Ｃ１１］
前記電力制御フリーズ状態に入るための前記手段が、送信電力の増加を無効にするための手段を備える、Ｃ１０に記載の装置。
［Ｃ１２］
前記第１のネットワークに再同調した後に前記第１のネットワークから少なくとも１つの電力制御コマンドを受信するための手段をさらに備える、Ｃ１１に記載の装置。
［Ｃ１３］
前記少なくとも１つの電力制御コマンドが、送信電力を増加させるためのコマンドを含む、Ｃ１２に記載の装置。
［Ｃ１４］
前記電力制御フリーズ状態に入るための前記手段が、前記送信電力を増加させるための前記コマンドを無視するための手段を備える、Ｃ１３に記載の装置。
［Ｃ１５］
前記少なくとも１つの電力制御コマンドが、送信電力を減少させるためのコマンドを含む、Ｃ１２に記載の装置。
［Ｃ１６］
前記第２の所定の間隔中に前記送信電力を減少させるための手段をさらに備える、Ｃ１５に記載の装置。
［Ｃ１７］
前記第２の所定の間隔の終わりの前に前記第１のしきい値と前記第２のしきい値とを超えない場合、前記第２の所定の間隔の終わりに前記送信電力制御フリーズ状態を出るための手段をさらに備え、ここにおいて、前記送信電力制御フリーズ状態を出るための前記手段が、前記送信電力の増加を有効にするための手段を備える、Ｃ１１に記載の装置。
［Ｃ１８］
前記第１のネットワークに前記複数の送信を送るための前記手段が、ＨＡＲＱプロセスのための手段を備え、
前記第１のネットワークによって受信されない前記複数の送信の前記数が前記第１のしきい値を超えるかどうか、または前記第１のネットワークに再送信される前記複数の送信の前記数が前記第２のしきい値を超えるかどうかを決定するための前記手段が、前記第１のネットワークから受信される否定応答（ＮＡＫ）の数を決定するための手段を備える、Ｃ１０に記載の装置。
［Ｃ１９］
ワイヤレス通信のための装置であって、
メモリと、
前記メモリに結合された少なくとも１つのプロセッサとを備え、前記少なくとも１つのプロセッサは、
第１のネットワークへのワイヤレス接続を確立することと、
第１の所定の間隔の間、前記第１のネットワークから離調することと、
前記第１の所定の間隔の後に前記第１のネットワークに再同調することと、
前記第１のネットワークに再同調した後に第２の所定の間隔の間、電力制御フリーズ状態に入ることと、
前記第２の所定の間隔中に前記第１のネットワークに複数の送信を送ることと、
前記第１のネットワークによって受信されない前記複数の送信の数が第１のしきい値を超えるかどうか、または前記第１のネットワークに再送信される前記複数の送信の数が第２のしきい値を超えるかどうかを決定することと、
前記第１のしきい値を超えると決定されたとき、または前記第２のしきい値を超えると決定されたとき、前記電力制御フリーズ状態を出ることとを行うように構成された、装置。
［Ｃ２０］
前記少なくとも１つのプロセッサが、送信電力の増加を無効にすることによって前記電力制御フリーズ状態に入るように構成された、Ｃ１９に記載の装置。
［Ｃ２１］
前記少なくとも１つのプロセッサが、前記第１のネットワークに再同調した後に前記第１のネットワークから少なくとも１つの電力制御コマンドを受信するようにさらに構成され、ここにおいて、前記少なくとも１つの電力制御コマンドが、送信電力を増加させるためのコマンドを含む、Ｃ１９に記載の装置。
［Ｃ２２］
前記少なくとも１つのプロセッサが、前記送信電力を増加させるための前記コマンドを無視することによって前記電力制御フリーズ状態に入るように構成された、Ｃ２１に記載の装置。
［Ｃ２３］
前記少なくとも１つのプロセッサは、前記第２の所定の間隔の終わりの前に前記第１のしきい値と前記第２のしきい値とを超えない場合、前記第２の所定の間隔の終わりに前記送信電力制御フリーズ状態を出るようにさらに構成され、ここにおいて、前記少なくとも１つのプロセッサが、前記送信電力の増加を有効にすることによって前記送信電力制御フリーズ状態を出るように構成された、Ｃ２０に記載の装置。
［Ｃ２４］
前記少なくとも１つのプロセッサは、
ＨＡＲＱプロセスを使用して前記第１のネットワークに前記複数の送信を送ることと、
前記第１のネットワークから受信される否定応答（ＮＡＫ）の数を決定することによって、前記第１のネットワークによって受信されない前記複数の送信の前記数が前記第１のしきい値を超えるかどうか、または前記第１のネットワークに再送信される前記複数の送信の数が前記第２のしきい値を超えるかどうかを決定することとを行うように構成された、Ｃ１９に記載の装置。
［Ｃ２５］
ワイヤレス通信のための実行可能コードを記憶するコンピュータ可読媒体であって、
第１のネットワークへのワイヤレス接続を確立するためのコードと、
第１の所定の間隔の間、前記第１のネットワークから離調するためのコードと、
前記第１の所定の間隔の後に前記第１のネットワークに再同調するためのコードと、
前記第１のネットワークに再同調した後に第２の所定の間隔の間、電力制御フリーズ状態に入るためのコードと、
前記第２の所定の間隔中に前記第１のネットワークに複数の送信を送るためのコードと、
前記第１のネットワークによって受信されない前記複数の送信の数が第１のしきい値を超えるかどうか、または前記第１のネットワークに再送信される前記複数の送信の数が第２のしきい値を超えるかどうかを決定するためのコードと、
前記第１のしきい値を超えると決定されたとき、または前記第２のしきい値を超えると決定されたとき、前記電力制御フリーズ状態を出るためのコードとを備える、コンピュータ可読媒体。
［Ｃ２６］
前記電力制御フリーズ状態に入るための前記コードが、送信電力の増加を無効にするためのコードを備える、Ｃ２５に記載のコンピュータ可読媒体。
［Ｃ２７］
前記第１のネットワークに再同調した後に前記第１のネットワークから少なくとも１つの電力制御コマンドを受信するためのコードをさらに備え、ここにおいて、前記少なくとも１つの電力制御コマンドが、送信電力を増加させるためのコマンドを含む、Ｃ２５に記載のコンピュータ可読媒体。
［Ｃ２８］
前記電力制御フリーズ状態に入るための前記コードが、前記送信電力を増加させるための前記コマンドを無視するためのコードを備える、Ｃ２７に記載のコンピュータ可読媒体。
［Ｃ２９］
前記第２の所定の間隔の終わりの前に前記第１のしきい値と前記第２のしきい値とを超えない場合、前記第２の所定の間隔の前記終わりに前記送信電力制御フリーズ状態を出るためのコードをさらに備え、ここにおいて、前記送信電力制御フリーズ状態を出るための前記コードが、前記送信電力の増加を有効にするためのコードを備える、Ｃ２０に記載のコンピュータ可読媒体。
［Ｃ３０］
前記第１のネットワークに前記複数の送信を送るための前記コードが、ＨＡＲＱプロセスを使用して前記複数の送信を送るためのコードをさらに備え、
前記第１のネットワークによって受信されない前記複数の送信の前記数が前記第１のしきい値を超えるかどうか、または前記第１のネットワークに再送信される前記複数の送信の数が前記第２のしきい値を超えるかどうかを決定するための前記コードが、前記第１のネットワークから受信されるＮＡＫの数を決定するためのコードをさらに備える、Ｃ１９に記載のコンピュータ可読媒体。
【図１】
0006266837.tif 000002
【図２】
0006266837.tif 000003
【図３】
0006266837.tif 000004
【図４】
0006266837.tif 000005
【図５】
0006266837.tif 000006
【図６】
0006266837.tif 000007
【図７】
0006266837.tif 000008
【図８】
0006266837.tif 000009
【図９】
0006266837.tif 000010
【図１０】
0006266837.tif 000011